(57)【特許請求の範囲】
【請求項１】
記録対象の情報を所定の記録形式で所定の記録先に記録する情報記録手段と、
前記情報記録手段が記録する前記記録対象情報のタイトルを示すタイトル情報を前記記録先に記録するタイトル記録手段と、
から構成され、
前記タイトル記録手段は、
前記情報記録手段が記録する前記記録対象情報の記録形式を判別する形式判別手段と、
前記形式判別手段の判別結果に応じて、前記記録対象情報の記録形式に関する形式情報を、前記タイトル情報が示すタイトルの先頭に挿入する挿入手段と、を備え、
前記挿入手段は、
前記タイトル情報に前記形式情報を加えた文字数が、入力可能な最大文字数を超えるか否かを判別し、該文字数が該入力可能な最大文字数を超えると判別したときに、前記タイトル情報が示すタイトルの最後尾から所定の文字数を削除して、前記形式情報を挿入するスペースを生成する、
ことを特徴とする情報記録装置。
【請求項２】
前記情報記録手段は、前記記録対象情報を第１の記録形式又は第２の記録形式で記録し、
前記形式判別手段は、前記記録対象情報の記録形式が前記第１の記録形式であるか、前記第２の記録形式であるかを判別し、
前記挿入手段は、前記形式判別手段が前記記録対象情報の記録形式は前記第２の記録形式であると判別した場合に、該記録対象情報が該第２の記録形式で記録されていることを示す所定の文字列を前記形式情報として前記タイトルの先頭に挿入する、
ことを特徴とする請求項１に記載の情報記録装置。
【請求項３】
利用者の操作に従って、前記記録対象情報のタイトルを入力する入力手段をさらに備え、
前記入力手段は、前記形式判別手段が前記記録対象情報の記録形式は前記第２の記録形式であると判別した場合に、前記文字列を挿入するためのスペースを予め確保し、該スペースに続けてタイトルを入力し、
前記挿入手段は、前記入力手段が確保したスペースに前記文字列を挿入する、
ことを特徴とする請求項２に記載の情報記録装置。
【請求項４】
前記入力手段は、前記形式判別手段が前記記録対象情報の記録形式は前記第２の記録形式であると判別した場合に、利用者の操作に従って入力可能なタイトルの文字数を制限することにより、前記文字列を挿入するためのスペースを予め確保する、ことを特徴とする請求項３に記載の情報記録装置。
【請求項５】
前記挿入手段は、利用者の操作に従って、前記記録対象情報のタイトルを入力する入力手段を備え、
前記入力手段は、前記形式判別手段が前記記録対象情報の記録形式は前記第２の記録形式であると判別した場合に、前記文字列を予め入力し、該文字列に続けてタイトルを入力する、
ことを特徴とする請求項２に記載の情報記録装置。
【請求項６】
記録対象の情報を所定の記録形式で所定の記録先に記録する情報記録工程と、
前記情報記録工程で記録する前記記録対象情報のタイトルを示すタイトル情報を前記記録先に記録するタイトル記録工程と、
を備え、
前記タイトル記録工程は、
前記情報記録工程で記録する前記記録対象情報の記録形式を判別する形式判別工程と、
前記形式判別工程の判別結果に応じて、前記記録対象情報の記録形式に関する形式情報を、前記タイトル情報が示すタイトルの先頭に挿入する挿入工程と、を備え、
前記挿入工程は、
前記タイトル情報に前記形式情報を加えた文字数が、入力可能な最大文字数を超えるか否かを判別し、該文字数が該入力可能な最大文字数を超えると判別したときに、前記タイトル情報が示すタイトルの最後尾から所定の文字数を削除して、前記形式情報を挿入するスペースを生成する、
ことを特徴とする情報記録方法。
【請求項７】
コンピュータを、
記録対象の情報を所定の記録形式で所定の記録先に記録する情報記録手段と、
前記情報記録手段が記録する前記記録対象情報のタイトルを示すタイトル情報を前記記録先に記録するタイトル記録手段と、
から構成され、
前記タイトル記録手段は、
前記情報記録手段が記録する前記記録対象情報の記録形式を判別する形式判別手段と、
前記形式判別手段の判別結果に応じて、前記記録対象情報の記録形式に関する形式情報を、前記タイトル情報が示すタイトルの先頭に挿入する挿入手段と、を備え、
前記挿入手段は、
前記タイトル情報に前記形式情報を加えた文字数が、入力可能な最大文字数を超えるか否かを判別し、該文字数が該入力可能な最大文字数を超えると判別したときに、前記タイトル情報が示すタイトルの最後尾から所定の文字数を削除して、前記形式情報を挿入するスペースを生成する、
ことを特徴とする情報記録装置として機能させるためのプログラム。
【発明の詳細な説明】
【０００１】
【発明の属する技術分野】
本発明は、情報を記録するための装置、方法、及び、プログラムに関する。
【０００２】
【従来の技術】
記録媒体、例えばＭＤに記録された音楽情報は、ＡＴＲＡＣ（Adaptive Transform Acoustic Coding ）形式又はＡＴＲＡＣ３形式等で圧縮されている。
また、ＭＤ等の記録媒体には、各音楽情報のタイトルを示すタイトル情報が記録されている。
【０００３】
音楽情報を記録する記録装置は、音楽情報をＡＴＲＡＣ３形式で記録する際、音楽情報がＡＴＲＡＣ３形式で記録されていることを示す文字列（例えば「ＬＰ：」等）を、曲のタイトルに自動的に書き込んでいた。
【０００４】
【発明が解決しようとする課題】
しかし、従来の記録装置は、タイトルの文字数が多くて上記文字列を書き込むスペースがない場合、上記文字列をタイトルの先頭部分に上書きしたり、タイトルの全文字を消去して上記文字列だけを書き込んだりする場合がある。このため、タイトルの判別が困難となる場合がある。
【０００５】
従って、本発明は、情報のタイトルを容易に判別可能にする情報記録装置、情報記録方法、及び、プログラムを提供することを目的とする。
【０００６】
【課題を解決するための手段】
上記目的を達成するため、本発明の第１の観点に係る情報記録装置は、記録対象の情報を所定の記録形式で所定の記録先に記録する情報記録手段と、前記情報記録手段が記録する前記記録対象情報のタイトルを示すタイトル情報を前記記録先に記録するタイトル記録手段と、から構成され、前記タイトル記録手段は、前記情報記録手段が記録する前記記録対象情報の記録形式を判別する形式判別手段と、前記形式判別手段の判別結果に応じて、前記記録対象情報の記録形式に関する形式情報を、前記タイトル情報が示すタイトルの先頭に挿入する挿入手段と、を備え、前記挿入手段は、前記タイトル情報に前記形式情報を加えた文字数が、入力可能な最大文字数を超えるか否かを判別し、該文字数が該入力可能な最大文字数を超えると判別したときに、前記タイトル情報が示すタイトルの最後尾から所定の文字数を削除して、前記形式情報を挿入するスペースを生成する、ことを特徴とする。
【０００７】
前記情報記録手段は、前記記録対象情報を第１の記録形式又は第２の記録形式で記録し、前記形式判別手段は、前記記録対象情報の記録形式が前記第１の記録形式であるか、前記第２の記録形式であるかを判別し、前記挿入手段は、前記形式判別手段が前記記録対象情報の記録形式は前記第２の記録形式であると判別した場合に、該記録対象情報が該第２の記録形式で記録されていることを示す所定の文字列を前記形式情報として前記タイトルの先頭に挿入してもよい。
【０００９】
利用者の操作に従って、前記記録対象情報のタイトルを入力する入力手段をさらに備え、前記入力手段は、前記形式判別手段が前記記録対象情報の記録形式は前記第２の記録形式であると判別した場合に、前記文字列を挿入するためのスペースを予め確保し、該スペースに続けてタイトルを入力し、前記挿入手段は、前記入力手段が確保したスペースに前記文字列を挿入してもよい。
【００１０】
前記入力手段は、前記形式判別手段が前記記録対象情報の記録形式は前記第２の記録形式であると判別した場合に、利用者の操作に従って入力可能なタイトルの文字数を制限することにより、前記文字列を挿入するためのスペースを予め確保してもよい。
【００１１】
前記挿入手段は、利用者の操作に従って、前記記録対象情報のタイトルを入力する入力手段を備え、前記入力手段は、前記形式判別手段が前記記録対象情報の記録形式は前記第２の記録形式であると判別した場合に、前記文字列を予め入力し、該文字列に続けてタイトルを入力してもよい。
【００１２】
また、本発明の第２の観点に係る情報記録方法は、記録対象の情報を所定の記録形式で所定の記録先に記録する情報記録工程と、前記情報記録工程で記録する前記記録対象情報のタイトルを示すタイトル情報を前記記録先に記録するタイトル記録工程と、を備え、前記タイトル記録工程は、前記情報記録工程で記録する前記記録対象情報の記録形式を判別する形式判別工程と、前記形式判別工程の判別結果に応じて、前記記録対象情報の記録形式に関する形式情報を、前記タイトル情報が示すタイトルの先頭に挿入する挿入工程と、を備え、前記挿入工程は、前記タイトル情報に前記形式情報を加えた文字数が、入力可能な最大文字数を超えるか否かを判別し、該文字数が該入力可能な最大文字数を超えると判別したときに、前記タイトル情報が示すタイトルの最後尾から所定の文字数を削除して、前記形式情報を挿入するスペースを生成する、ことを特徴とする。
【００１３】
また、本発明の第３の観点に係るプログラムは、コンピュータを、記録対象の情報を所定の記録形式で所定の記録先に記録する情報記録手段と、前記情報記録手段が記録する前記記録対象情報のタイトルを示すタイトル情報を前記記録先に記録するタイトル記録手段と、から構成され、前記タイトル記録手段は、前記情報記録手段が記録する前記記録対象情報の記録形式を判別する形式判別手段と、前記形式判別手段の判別結果に応じて、前記記録対象情報の記録形式に関する形式情報を、前記タイトル情報が示すタイトルの先頭に挿入する挿入手段と、を備え、前記挿入手段は、前記タイトル情報に前記形式情報を加えた文字数が、入力可能な最大文字数を超えるか否かを判別し、該文字数が該入力可能な最大文字数を超えると判別したときに、前記タイトル情報が示すタイトルの最後尾から所定の文字数を削除して、前記形式情報を挿入するスペースを生成する、ことを特徴とする情報記録装置として機能させる。
【００１４】
【発明の実施の形態】
次に、本発明の実施の形態にかかるミニディスクレコーダについて図面を参照して説明する。
【００１５】
本発明の実施の形態にかかるミニディスクレコーダは、音楽情報をＡＴＲＡＣ（Adaptive Transform Acoustic Coding）形式又はＡＴＲＡＣ３形式等で圧縮して、ＭＤ（Mini Disc；登録商標）に記録する。また、ミニディスクレコーダは、音楽情報をＡＴＲＡＣ３形式で記録した場合、音楽情報がＡＴＲＡＣ３形式で記録されていることを示す文字列、例えば「ＬＰ：」等を、曲タイトルの先頭に挿入する。
【００１６】
上記ミニディスクレコーダは、図１に示すように、ＭＤ１０に音楽情報を記録する記録装置１と、曲タイトルの入力及び修正等を行うために用いられるタイトル入力装置２と、から構成されている。
【００１７】
記録装置１は、コントローラ１１と、記録再生部１２と、ＵＴＯＣメモリ１３と、タイトルメモリ１４と、操作部１５と、表示部１６と、から構成されている。
【００１８】
コントローラ１１は、ＲＡＭ（Random Access Memory ）、ＲＯＭ（Read Only Memory ）、及び、ＣＰＵ（Central Processing Unit ）等から構成されるマイクロコンピュータである。コントローラ１１は、予め提供されたプログラム及びデータ等に従って記録装置１の動作を制御し、音楽情報をＭＤ１０に記録する。
【００１９】
例えば、コントローラ１１は、ミニディスクレコーダに接続される再生装置にセットされた他の記録媒体（ＭＤやＣＤ（Compact Disc）等）に記録されている音楽情報をＭＤ１０に記録する。また、曲のタイトルを示すタイトル情報が他の記録媒体に記録されている場合、コントローラ１１は、録音した曲のタイトル情報を、他の記録媒体からＭＤ１０にコピーする。また、コントローラ１１は、音楽情報をＡＴＲＡＣ３形式で記録した場合、音楽情報がＡＴＲＡＣ３形式で記録されていることを示す文字列、例えば「ＬＰ：」等を、曲タイトルの先頭に挿入する。なお、コントローラ１１が行う詳しい動作については後述する。
【００２０】
記録再生部１２は、コントローラ１１の制御に従って動作し、ＭＤ１０に記録されている情報を再生したり、ＭＤ１０に情報を記録したりする。
【００２１】
ＭＤ１０の情報記録面は、図２に示すように、ＵＴＯＣ（User Table Of Contents）情報が記録されるＵＴＯＣエリア１０ａと、各トラックの音楽情報が記録されるプログラムエリア１０ｂと、から構成されている。ＵＴＯＣ情報は、各トラックのプログラムエリア１０ｂ上での位置を示すアドレス（スタートアドレスとエンドアドレス）、ディスクタイトルと各トラックに記録されている曲のタイトル、及び、各トラックの録音モード（ＡＴＲＡＣ又はＡＴＲＡＣ３）等を示す。
【００２２】
記録再生部１２は、所定位置にロードされたＭＤ１０から、初めにＵＴＯＣ情報を読み出す。そして、記録再生部１２は、コントローラ１１の制御に従って、ＭＤ１０のプログラムエリア１０ｂに記録されている所定トラックの音楽情報を読み出す。記録再生部１２は、読み出した音楽情報にＥＦＭ復調、ディインターリーブ、誤り訂正、及び、伸張等の処理を施してアナログの音楽信号を生成し、所定のアンプやスピーカ等を介して音声として出力する。また、記録再生部１２は、ミニディスクレコーダに接続された再生装置等から供給されるアナログの音楽信号をＡ／Ｄ変換し、圧縮、インターリーブ、誤り訂正符号の付加、及び、ＥＦＭ変調等の処理を施してＭＤ１０の未記録領域に記録する。
【００２３】
ＵＴＯＣメモリ１３は、記録再生部１２がＭＤ１０から読み出したＵＴＯＣ情報を記憶する。ＭＤ１０が記録再生部１２にセットされている間、ＵＴＯＣ情報の更新はＵＴＯＣメモリ１３上で行われる。そして、更新されたＵＴＯＣ情報は、ＭＤ１０がアンロードされる直前に、ＭＤ１０のＵＴＯＣエリア１０ａに記録される。
【００２４】
タイトルメモリ１４は、ＭＤ１０に録音される曲のタイトル情報を記憶する。具体的には、タイトルメモリ１４は、他の記録媒体からＭＤ１０に音楽情報を記録する際、ミニディスクレコーダに接続される再生装置から音楽情報と共に供給されるタイトル情報を記憶する。
【００２５】
操作部１５は、複数の操作ボタン等を備え、ミニディスクレコーダの利用者により操作される。操作部１５は、利用者の操作に従って、電源のオン／オフ、音楽情報の再生、録音、ポーズ、ストップ、サーチ、及び、ＭＤ１０のイジェクト等を指示する信号をコントローラ１１に出力する。
【００２６】
表示部１６は、液晶パネル又はエレクトロルミネッセンスパネル等から構成される。表示部１６は、コントローラ１１の制御に従って、所定の文字列やマーク等を表示することにより、記録装置１の動作状況等を利用者に提示する。また、表示部１６は、記録再生部１２が動作を停止している間、記録再生部１２にセットされているＭＤ１０のディスクタイトルを表示する。また、表示部１６は、音楽情報の再生中又は記録中に、対象となっているトラックの番号（トラックナンバ）と、曲のタイトルと、再生経過時間又は録音経過時間と、を表示する。
【００２７】
タイトル入力装置２は、例えばリモコン装置等であり、タイトル処理部２１と、入力部２２と、タイトルメモリ２３と、表示部２４と、から構成されている。
【００２８】
タイトル処理部２１は、ＲＡＭ、ＲＯＭ、及び、ＣＰＵ等から構成されるマイクロコンピュータである。タイトル処理部２１は、予め提供されたプログラム及びデータ等に従ってタイトル入力装置２の動作を制御し、曲タイトルの入力及び修正等を行う。なお、タイトル処理部２１の詳しい動作については後述する。
【００２９】
入力部２２は、曲タイトルの入力及び修正等を行うための複数の入力キーを備えている。例えば、入力部２２は、英字、数字、特殊文字、スペース等の文字キー、カーソルキー、１文字分を削除するためのＢＳ（Back Space）キー、実行キー、記録装置１にタイトルの読み出し命令を与えるタイトル読出キー、及び、記録装置１にタイトルの書き込み命令を与えるタイトル書込キー等を備えている。入力部２２は、ミニディスクレコーダの利用者により操作され、利用者の操作に従って、曲タイトルの入力又は修正等を行うための様々な信号をタイトル処理部２１に出力する。
【００３０】
タイトルメモリ２３は、記録装置１から供給されるタイトル情報を記憶する。タイトルメモリ２３が記憶するタイトル情報は、利用者が入力部２２を操作して行うタイトルの入力及び修正によって更新される。
【００３１】
表示部２４は、液晶パネル又はエレクトロルミネッセンスパネル等から構成され、タイトルの入力・修正画面等を表示する。
【００３２】
次に、以上のように構成されるミニディスクレコーダの動作について説明する。
始めに、タイトル情報を記録している他の記録媒体からＭＤ１０に音楽情報を記録する場合の動作について説明する。
【００３３】
なお、音楽情報がＡＴＲＡＣ３形式で記録されていることを示す文字列（例えば「ＬＰ：」等）を曲のタイトルに自動的に書き込むか否かを選択できる場合、ミニディスクレコーダの利用者は、操作部１５を操作して、ＬＰ自動書込モードを予めオンに設定しておく。ＬＰ自動書込モードがオフに設定されている場合のミニディスクレコーダの動作は、以下に示す、音楽情報がＡＴＲＡＣ３形式で記録されていない場合の動作と同様である。
【００３４】
始めに、利用者は、ミニディスクレコーダと再生装置とを専用ケーブル等で接続する。そして、利用者は、記録対象の音楽情報を記録している他の記録媒体を再生装置にセットし、音楽情報の記録先となるＭＤ１０を記録装置１の記録再生部１２にセットする。
【００３５】
記録装置１のコントローラ１１は、利用者によりＭＤ１０がセットされると、記録再生部１２を制御して、ＭＤ１０のＵＴＯＣエリア１０ａに記録されているＵＴＯＣ情報を読み出し、ＵＴＯＣメモリ１３に記録する。
【００３６】
その後、利用者は、記録装置１の操作部１５及び／又は再生装置を操作して、記録対象の音楽情報が記録されているトラックの番号、及び、録音モード（ＡＴＲＡＣ又はＡＴＲＡＣ３）等を選択する。
そして、利用者は、記録装置１の操作部１５及び／又は再生装置を所定の手順で操作し、音楽情報の記録開始を指示する。
【００３７】
利用者の記録開始指示に応答して、ミニディスクレコーダに接続された再生装置は、記録媒体に記録されている所定トラックの音楽情報及びタイトル情報を再生し、ミニディスクレコーダに出力する。
一方、記録装置１のコントローラ１１は、記録再生部１２を制御し、再生装置から供給される音楽情報を、利用者が選択した録音モード（記録形式）でＭＤ１０に記録する。
【００３８】
また、コントローラ１１は、図３に示すタイトルコピー処理を行い、再生装置から音楽情報と共に供給されるタイトル情報をＵＴＯＣメモリ１３が記憶しているＵＴＯＣ情報に記録する。
【００３９】
始めに、コントローラ１１は、再生装置から供給されるタイトル情報をタイトルメモリ１４に記録する（ステップＳ１０１）。
そして、コントローラ１１は、利用者が選択した録音モードがＡＴＲＡＣ３モードであるか否か、即ち、ＭＤ１０に記録する音楽情報の記録形式がＡＴＲＡＣ３形式であるか否かを判別する（ステップＳ１０２）。
【００４０】
録音モードがＡＴＲＡＣ３モードでないと判別した場合（ステップＳ１０２；ＮＯ）、コントローラ１１は、タイトルメモリ１４が記憶しているタイトル情報を記録用のデータに変換し、ＵＴＯＣメモリ１３が記憶しているＵＴＯＣ情報に記録して（ステップＳ１０３）、タイトルコピー処理を終了する。
【００４１】
一方、録音モードがＡＴＲＡＣ３モードであると判別した場合（ステップＳ１０２；ＹＥＳ）、コントローラ１１は、上記文字列（例えば「ＬＰ：」）を挿入するスペースがタイトル情報に存在するか否かを判別する（ステップＳ１０４）。
【００４２】
具体的には、コントローラ１１は、タイトルメモリ１４のタイトル情報が示すタイトルの文字数を判別する。そして、コントローラ１１は、タイトルとして入力可能な最大文字数と判別した文字数との差が、上記文字列の文字数以上あるか否かを判別する。例えば、上記文字列として「ＬＰ：」を書き込む場合、コントローラ１１は、上記文字数の差が３文字以上あるか否かを判別する。
【００４３】
上記文字列を挿入するスペースがあると判別した場合（ステップＳ１０４；ＹＥＳ）、コントローラ１１は、後述するステップＳ１０６の処理を行う。
一方、上記文字列を挿入するスペースがないと判別した場合（ステップＳ１０４；ＮＯ）、コントローラ１１は、タイトルメモリ１４のタイトル情報が示すタイトルの最後尾から１文字ずつ削除し、上記文字列の挿入スペースを作成する（ステップＳ１０５）。
【００４４】
具体的には、コントローラ１１は、タイトルをその最後尾から１文字ずつ削除し、入力可能な最大文字数とタイトルの文字数との差を、上記文字列の文字数に一致させる。例えば、入力可能な最大文字数が１０文字で、入力されているタイトルが９文字で、上記文字列として「ＬＰ：」を書き込む場合、図４（ａ）及び（ｂ）に示すように、上記文字数の差が３文字となるようにタイトルをその最後尾から削除してシフトさせる。
【００４５】
その後、コントローラ１１は、例えば図４（ｃ）に示すように、タイトル情報が示すタイトルの先頭に、音楽情報がＡＴＲＡＣ３形式で記録されていることを示す文字列（ＬＰ：）を挿入する（ステップＳ１０６）。
【００４６】
そして、コントローラ１１は、上記文字列が挿入されたタイトル情報を記録用のデータに変換して、ＵＴＯＣメモリ１３が記憶しているＵＴＯＣ情報に記録し（ステップＳ１０７）、タイトルコピー処理を終了する。
【００４７】
以上のようにして、他の記録媒体からＭＤ１０に音楽情報が記録されると共に、曲のタイトルがコピーされる。また、音楽情報がＡＴＲＡＣ３形式で記録される場合、タイトルの先頭部分又は全体を消去することなく、タイトルの先頭に、音楽情報がＡＴＲＡＣ３形式で記録されていることを示す文字列が自動的に挿入される。これにより、音楽情報のタイトルを容易に判別することができる。
【００４８】
次に、タイトル情報を記録していない他の記録媒体からＭＤ１０に音楽情報を記録する場合の動作について説明する。
【００４９】
この場合、記録対象である音楽情報は、上記と同様にして、他の記録媒体からＭＤ１０に記録される。しかし、他の記録媒体にタイトル情報が記録されていないため、ミニディスクレコーダの利用者が、タイトル入力装置２の入力部２２を操作して、曲のタイトルを入力する。
【００５０】
なお、上記と同様に、音楽情報がＡＴＲＡＣ３形式で記録されていることを示す文字列（例えば「ＬＰ：」等）を曲のタイトルに自動的に書き込むか否かを選択できる場合、利用者は、操作部１５を操作して、ＬＰ自動書込モードを予めオンに設定しておく。ＬＰ自動書込モードがオフに設定されている場合のミニディスクレコーダの動作は、以下に示す、音楽情報がＡＴＲＡＣ３形式で記録されていない場合の動作と同様である。
【００５１】
利用者は、曲のタイトルを入力する際、入力部２２を所定の手順で操作し、タイトル入力装置２をタイトル入力モードに設定する。これにより、タイトル入力装置２のタイトル処理部２１は、図５に示すタイトルインプット処理を開始する。
【００５２】
始めに、タイトル処理部２１は、表示部２４を制御し、タイトル入力画面を表示する（ステップＳ２０１）。
表示部２４のタイトル入力画面には、利用者が入力するタイトルが表示される。利用者は、表示部２４のタイトル入力画面を見ながら入力部２２を操作し、ＭＤ１０に録音する曲のタイトルを入力する。そして、利用者は、入力部２２が備える所定キー（タイトル書込キー）を押下して、入力したタイトルを確定する。
【００５３】
タイトル処理部２１は、タイトル書込キーの押下により入力部２２から供給される所定の信号に応答し、利用者が入力したタイトルを示すタイトル情報をタイトルメモリ２３に記録する（ステップＳ２０２）。
続いて、タイトル処理部２１は、録音開始時に利用者が選択した録音モードを記録装置１から取得する（ステップＳ２０３）。例えば、タイトル処理部２１は、利用者が選択した録音モードを示すモード信号の供給を指示するモード読出信号を記録装置１に出力する。記録装置１のコントローラ１１は、タイトル処理部２１から供給されるモード読出信号に応答して、利用者が選択した録音モードを示すモード信号をタイトル入力装置２に返信する。
【００５４】
そして、タイトル処理部２１は、記録装置１から取得した録音モードがＡＴＲＡＣ３モードであるか否か、即ち、ＭＤ１０に記録する音楽情報の記録形式がＡＴＲＡＣ３形式であるか否かを判別する（ステップＳ２０４）。
【００５５】
録音モードがＡＴＲＡＣ３モードでないと判別した場合（ステップＳ２０４；ＮＯ）、タイトル処理部２１は、タイトルメモリ２３が記憶しているタイトル情報を記録用のデータに変換する。続いて、タイトル処理部２１は、記録用に変換したタイトル情報と、タイトル情報の記録を指示するタイトル書込信号と、を記録装置１に送信し（ステップＳ２０５）、タイトルインプット処理を終了する。
【００５６】
記録装置１のコントローラ１１は、タイトル処理部２１から供給されるタイトル書込信号に応答し、タイトル書込信号と共に供給されるタイトル情報を、ＵＴＯＣメモリ１３が記憶しているＵＴＯＣ情報に記録する。
【００５７】
一方、録音モードがＡＴＲＡＣ３モードであると判別した場合（ステップＳ２０４；ＹＥＳ）、タイトル処理部２１は、上記と同様にして、上記文字列（例えば「ＬＰ：」）を挿入するスペースがタイトル情報に存在するか否かを判別する（ステップＳ２０６）。
【００５８】
上記文字列を挿入するスペースがあると判別した場合（ステップＳ２０６；ＹＥＳ）、タイトル処理部２１は、後述するステップＳ２０８の処理を行う。
一方、上記文字列を挿入するスペースがないと判別した場合（ステップＳ２０６；ＮＯ）、タイトル処理部２１は、上記と同様にして、タイトルメモリ２３のタイトル情報が示すタイトルを最後尾から１文字ずつ削除し、上記文字列の挿入スペースを作成する（ステップＳ２０７）。
【００５９】
その後、タイトル処理部２１は、上記と同様に、タイトル情報が示すタイトルの先頭に、音楽情報がＡＴＲＡＣ３形式で記録されていることを示す文字列（ＬＰ：）を挿入する（ステップＳ２０８）。
【００６０】
そして、タイトル処理部２１は、上記文字列が挿入されたタイトル情報を記録用のデータに変換する。続いて、タイトル処理部２１は、記録用に変換したタイトル情報と、タイトル情報の記録を指示するタイトル書込信号と、を記録装置１に送信し（ステップＳ２０９）、タイトルインプット処理を終了する。
【００６１】
記録装置１のコントローラ１１は、タイトル処理部２１から供給されるタイトル書込信号に応答し、タイトル書込信号と共に供給される、上記文字列が挿入されたタイトル情報を、ＵＴＯＣメモリ１３が記憶しているＵＴＯＣ情報に記録する。
【００６２】
以上のようにして、利用者が入力した曲のタイトルがＵＴＯＣ情報に記録される。また、音楽情報がＡＴＲＡＣ３形式で記録される場合、タイトルの先頭部分又は全体を消去することなく、タイトルの先頭に、音楽情報がＡＴＲＡＣ３形式で記録されていることを示す文字列が自動的に挿入される。これにより、音楽情報のタイトルを容易に判別することができる。
【００６３】
次に、既に入力されているタイトルを修正（又は変更）する場合の動作について説明する。
【００６４】
始めに、利用者は、タイトル入力装置２の入力部２２を所定の手順で操作し、タイトルを修正するトラックの番号を選択し、入力部２２が備える所定キー（タイトル読出キー）を押下する。
【００６５】
タイトル処理部２１は、タイトル読出キーの押下により入力部２２から供給される所定の信号に応答し、利用者が選択したトラックのタイトル情報の供給を指示するタイトル読出信号を記録装置１に出力する。
【００６６】
記録装置１のコントローラ１１は、タイトル処理部２１から供給されるタイトル読出信号に応答して、利用者が選択したトラックのタイトル情報をＵＴＯＣメモリ１３が記憶しているＵＴＯＣ情報から取得し、タイトル入力装置２に返信する。
【００６７】
タイトル処理部２１は、記録装置１から供給されるタイトル情報をタイトルメモリ２３に保存すると共に、表示部２４を制御してタイトル情報が示すタイトルを表示する。なお、曲のタイトルが入力されていない場合、表示部２４には、例えばカーソルのみが表示される。
【００６８】
利用者は、表示部２４に表示されたタイトルを見ながら入力部２２を操作し、タイトルを修正する。そして、利用者は、入力部２２が備える所定キー（タイトル書込キー）を押下して、修正したタイトルを確定する。
【００６９】
タイトル処理部２１は、タイトル書込キーの押下により入力部２２から供給される所定の信号に応答し、図６のタイトル修正処理を開始する。
【００７０】
始めに、タイトル処理部２１は、利用者が修正したタイトルを示すタイトル情報をタイトルメモリ２３に記録する。これにより、タイトル処理部２１は、タイトルメモリ２３が記憶しているタイトル情報を更新する（ステップＳ３０１）。
【００７１】
そして、タイトル処理部２１は、ステップＳ３０２以降、上記したタイトルインプット処理のステップＳ２０３以降の処理と実質的に同一の処理を行い、利用者が修正したタイトルを示すタイトル情報をＵＴＯＣ情報に記録する。
【００７２】
以上のようにして、利用者が修正したタイトルがＵＴＯＣ情報に記録される。また、音楽情報がＡＴＲＡＣ３形式で記録されている場合は、上記と同様に、タイトルの先頭部分又は全体を消去することなく、タイトルの先頭に、音楽情報がＡＴＲＡＣ３形式で記録されていることを示す文字列が自動的に挿入される。これにより、音楽情報のタイトルを容易に判別することができる。
【００７３】
また、以上のようにして音楽情報の記録及びタイトルの入力等が終了すると、利用者は、ＭＤ１０をミニディスクレコーダから取り出すために、操作部１５が備える所定の操作ボタン（取出ボタン）を押下する。これにより、操作部１５は、ＭＤ１０の排出を指示するディスク排出信号をコントローラ１１に出力する。
【００７４】
コントローラ１１は、操作部１５から供給されるディスク排出信号に応答し、記録再生部１２を制御してＵＴＯＣメモリ１３のＵＴＯＣ情報をＭＤ１０のＵＴＯＣエリア１０ａに記録する。
【００７５】
そして、コントローラ１１は、記録再生部１２を制御して、ＭＤ１０を排出する。
以上のようにして、ＭＤ１０に記録されているＵＴＯＣ情報が更新される。
【００７６】
なお、コントローラ１１は、ミニディスクレコーダに接続された再生装置から供給されるタイトル情報をＵＴＯＣ情報に記録する際、上記文字列（例えば「ＬＰ：」）の挿入スペースがタイトル情報にない場合はタイトルを強制的に消去してもよい。
【００７７】
具体的には、コントローラ１１は、上記したタイトルコピー処理の代わりに、例えば図７に示すタイトルコピー処理を行ってもよい。
図７に示すように、ステップＳ４０１からステップＳ４０４までの処理は、上記したタイトルコピー処理のステップＳ１０１からステップＳ１０４までの処理と実質的に同一である。
【００７８】
ステップＳ４０４の処理で上記文字列（ＬＰ：）の挿入スペースがあると判別した場合（ステップＳ４０４；ＹＥＳ）、コントローラ１１は、後述するステップＳ４０６の処理を行う。
【００７９】
一方、上記文字列（ＬＰ：）の挿入スペースがないと判別した場合（ステップＳ４０４；ＮＯ）、コントローラ１１は、タイトルメモリ１４のタイトル情報が示すタイトルを消去する（ステップＳ４０５）。
【００８０】
その後、コントローラ１１は、タイトルメモリ１４のタイトル情報に、上記文字列（ＬＰ：）を書き込む（ステップＳ４０６）。これにより、上記文字列の挿入スペースがない場合は、上記文字列のみがタイトル情報として記録される。また、上記文字列の挿入スペースがある場合は、タイトルの先頭に上記文字列が挿入される。
【００８１】
そして、コントローラ１１は、タイトルメモリ１４のタイトル情報を記録用のデータに変換して、ＵＴＯＣメモリ１３が記憶しているＵＴＯＣ情報に記録し（ステップＳ４０７）、タイトルコピー処理を終了する。
【００８２】
以上のようにして、再生装置から供給されるタイトル情報を記録する際、上記文字列（ＬＰ：）の挿入スペースがない場合はタイトルが強制的に消去される。
【００８３】
また、上記文字列（ＬＰ：）の挿入スペースがない場合、コントローラ１１は、タイトルを最後尾から１文字ずつ削除するか、タイトルの全文字を消去するかを利用者に選択させるようにしてもよい。
【００８４】
この場合、コントローラ１１は、上記したタイトルコピー処理の代わりに、図８に示すタイトルコピー処理を行う。
図８に示すように、ステップＳ５０１からステップＳ５０４までの処理は、上記したタイトルコピー処理のステップＳ１０１からステップＳ１０４までの処理と実質的に同一である。
【００８５】
ステップＳ５０４の処理で上記文字列（ＬＰ：）の挿入スペースがあると判別した場合（ステップＳ５０４；ＹＥＳ）、コントローラ１１は、後述するステップＳ５０９の処理を行う。
【００８６】
一方、上記文字列（ＬＰ：）の挿入スペースがないと判別した場合（ステップＳ５０４；ＮＯ）、コントローラ１１は、表示部１６を制御し、例えば「Title Full」等のメッセージを表示する（ステップＳ５０５）。これにより、コントローラ１１は、タイトルの文字数が多すぎて上記文字列の挿入スペースがないことを利用者に通知し、タイトルを最後尾から１文字ずつ削除するか、タイトルの全文字を消去するかを利用者に選択させる。
【００８７】
利用者は、操作部１５を操作して、タイトルを最後尾から１文字ずつ削除するか、又は、タイトルの全文字を消去するかを選択する。操作部１５は、利用者の操作に従って、タイトルを１文字ずつ削除するか、全文字を消去するかを示す信号をコントローラ１１に出力する。
【００８８】
コントローラ１１は、利用者の操作によって操作部１５から供給される信号により、タイトルを１文字ずつ削除するか、全文字を消去するかを判別する（ステップＳ５０６）。
【００８９】
１文字ずつ削除すると判別した場合（ステップＳ５０６；１文字ずつ削除）、コントローラ１１は、上記と同様に、タイトルメモリ１４のタイトル情報が示すタイトルを１文字ずつ削除して、上記文字列の挿入スペースを作成し（ステップＳ５０７）、後述するステップＳ５０９の処理を行う。
【００９０】
一方、全文字を消去すると判別した場合（ステップＳ５０６；全文字消去）、コントローラ１１は、タイトルメモリ１４のタイトル情報が示すタイトルの全文字を消去する（ステップＳ５０８）。
【００９１】
そして、コントローラ１１は、上記と同様に、タイトルメモリ１４のタイトル情報に、上記文字列（ＬＰ：）を書き込んで（ステップＳ５０９）、タイトル情報をＵＴＯＣメモリ１３が記憶しているＵＴＯＣ情報に記録し（ステップＳ５１０）、タイトルコピー処理を終了する。
【００９２】
以上のようにして、再生装置から供給されるタイトル情報を記録する際、上記文字列（ＬＰ：）の挿入スペースがない場合は、タイトルの一部を削除するか、タイトルの全文字を消去するかを、利用者が選択することができる。
【００９３】
また、コントローラ１１は、図７又は図８のタイトルコピー処理でタイトルの全文字を消去した場合、タイトルの文字数が多すぎたためにタイトルを消去したことを示す情報を表示部１６に表示してもよい。
【００９４】
また、タイトル処理部２１は、利用者が選択する録音モードに応じて、１つのタイトルとして入力可能な最大文字数を制限し、上記文字列（例えば「ＬＰ：」）の挿入スペースを確保してもよい。
【００９５】
例えば、タイトル処理部２１は、タイトル入力装置２が利用者によってタイトル入力モードに設定された場合、図９に示すタイトルインプット処理を行い、上記文字列の挿入スペースを確保してもよい。
【００９６】
始めに、タイトル処理部２１は、録音開始時に利用者が選択した録音モードを記録装置１から取得する（ステップＳ６０１）。例えば、タイトル処理部２１は、利用者が選択した録音モードを示すモード信号の供給を指示するモード読出信号を記録装置１に出力する。記録装置１のコントローラ１１は、タイトル処理部２１から供給されるモード読出信号に応答して、利用者が選択した録音モードを示すモード信号をタイトル入力装置２に返信する。
【００９７】
そして、タイトル処理部２１は、記録装置１から取得した録音モードがＡＴＲＡＣ３モードであるか否かを判別する（ステップＳ６０２）。
録音モードがＡＴＲＡＣ３モードでないと判別した場合（ステップＳ６０２；ＮＯ）、タイトル処理部２１は、後述するステップＳ６０４の処理を行う。
【００９８】
一方、録音モードがＡＴＲＡＣ３モードであると判別した場合（ステップＳ６０２；ＹＥＳ）、タイトル処理部２１は、新たな最大文字数を設定して上記文字列（ＬＰ：）の入力スペースを確保する（ステップＳ６０３）。
【００９９】
具体的には、タイトル処理部２１は、１つのタイトルとして入力可能な最大文字数を、上記文字列（ＬＰ：）の分だけ少なく設定する。例えば、入力可能な最大文字数が１０文字であり、上記文字列の文字数が３文字である場合、タイトル処理部２１は、新たな最大文字数を７文字に設定する。
【０１００】
その後、タイトル処理部２１は、表示部２４を制御し、タイトル入力画面を表示する（ステップＳ６０４）。
利用者は、入力部２２を操作して、表示部２４のタイトル入力画面上でＭＤ１０に録音する曲のタイトルを入力する。ただし、録音モードがＡＴＲＡＣ３モードである場合、ステップＳ６０３の処理によって上記文字列（ＬＰ：）の入力スペースが確保されているため、利用者は、上記文字列の分だけ少ない文字数しか入力することができない。
【０１０１】
その後、利用者は、入力部２２が備える所定キー（タイトル書込キー）を押下して、入力したタイトルを確定する。
タイトル処理部２１は、タイトル書込キーの押下により入力部２２から供給される所定の信号に応答し、利用者が入力したタイトルを示すタイトル情報をタイトルメモリ２３に記録する（ステップＳ６０５）。
【０１０２】
続いて、タイトル処理部２１は、上記と同様にして、録音開始時に利用者が選択した録音モードを記録装置１から取得し（ステップＳ６０６）、取得した録音モードがＡＴＲＡＣ３モードであるか否かを判別する（ステップＳ６０７）。
【０１０３】
録音モードがＡＴＲＡＣ３モードでないと判別した場合（ステップＳ６０７；ＮＯ）、タイトル処理部２１は、タイトルメモリ２３が記憶しているタイトル情報を記録用のデータに変換する。続いて、タイトル処理部２１は、記録用に変換したタイトル情報と、タイトル情報の記録を指示するタイトル書込信号と、を記録装置１に送信し（ステップＳ６０８）、タイトルインプット処理を終了する。
【０１０４】
一方、録音モードがＡＴＲＡＣ３モードであると判別した場合（ステップＳ６０７；ＹＥＳ）、タイトル処理部２１は、予め確保した挿入スペースに、上記文字列（例えば「ＬＰ：」）を挿入する（ステップＳ６０９）。
【０１０５】
そして、タイトル処理部２１は、上記文字列が挿入されたタイトル情報を記録用のデータに変換する。続いて、タイトル処理部２１は、記録用に変換したタイトル情報と、タイトル情報の記録を指示するタイトル書込信号と、を記録装置１に送信し（ステップＳ６１０）、タイトルインプット処理を終了する。
【０１０６】
以上のように、音楽情報がＡＴＲＡＣ３形式で記録される場合は、利用者が入力可能なタイトルの最大文字数が制限される。このため、上記したタイトルインプット処理のステップＳ２０６及びステップＳ２０７の処理を行なうことなく、利用者が入力するタイトルをＵＴＯＣ情報に記録することができる。
【０１０７】
また、タイトル処理部２１は、上記文字列（ＬＰ：）の入力スペースを確保する代わりに、上記文字列を、利用者がタイトルを入力する前にタイトル情報に書き込んでもよい。
【０１０８】
例えば、タイトル処理部２１は、タイトル入力装置２が利用者によってタイトル入力モードに設定された場合に、図１０に示すタイトルインプット処理を行い、上記文字列をタイトル情報に書き込んでもよい。
【０１０９】
始めに、タイトル処理部２１は、上記と同様にして、録音開始時に利用者が選択した録音モードを記録装置１から取得し（ステップＳ７０１）、取得した録音モードがＡＴＲＡＣ３モードであるか否かを判別する（ステップＳ７０２）。
【０１１０】
録音モードがＡＴＲＡＣ３モードでないと判別した場合（ステップＳ７０２；ＮＯ）、タイトル処理部２１は、後述するステップＳ７０４の処理を行う。
一方、録音モードがＡＴＲＡＣ３モードであると判別した場合（ステップＳ７０２；ＹＥＳ）、タイトル処理部２１は、上記文字列（ＬＰ：）を書き込んだタイトル情報を作成し、タイトルメモリ２３に記録する（ステップＳ７０３）。
【０１１１】
そして、タイトル処理部２１は、表示部２４を制御し、タイトル入力画面を表示する（ステップＳ７０４）。このステップＳ７０４の処理により、録音モードがＡＴＲＡＣモードである場合は、例えばカーソルのみがタイトル入力画面に表示される。また、録音モードがＡＴＲＡＣ３モードである場合は、上記文字列（ＬＰ：）が表示され、カーソルの位置は上記文字列の次（例えば４文字目）に表示される。
【０１１２】
利用者は、入力部２２を操作して、表示部２４のタイトル入力画面上でＭＤ１０に録音する曲のタイトルを入力する。そして、利用者は、入力部２２が備える所定キー（タイトル書込キー）を押下して、入力したタイトルを確定する。
【０１１３】
タイトル処理部２１は、タイトル書込キーの押下により入力部２２から供給される所定の信号に応答し、利用者が入力したタイトルを示すタイトル情報をタイトルメモリ２３に記録する（ステップＳ７０５）。
【０１１４】
そして、タイトル処理部２１は、上記と同様に、タイトルメモリ２３に記録したタイトル情報を記録用のデータに変換し、記録用に変換したタイトル情報と、タイトル書込信号と、を記録装置１に送信して（ステップＳ７０６）、タイトルインプット処理を終了する。
【０１１５】
以上のように、録音モードがＡＴＲＡＣ３モードである場合は、利用者がタイトルの入力する前に上記文字列（ＬＰ：）が入力される。これにより、タイトルの入力後に、録音モードの判別や上記文字列の入力スペースの有無等を判別することなく、利用者が入力したタイトルをＵＴＯＣ情報に記録することができる。
【０１１６】
また、上記実施の形態では、ミニディスクレコーダに接続された再生装置から供給される音楽情報をＭＤ１０に記録する場合を示したが、マイクロフォンや通信ネットワーク等を介して供給される音楽情報をＭＤ１０に記録してもよい。
【０１１７】
また、上記実施の形態では、ＭＤ１０を情報の記録先としたが、ＭＤ以外のもの（ＣＤやハードディスク等）を情報の記録先としてもよい。
【０１１８】
また、記録する情報は、音楽情報に限らず、映像情報等を含むものであってもよい。
【０１１９】
また、本発明の装置は、専用の装置を用いる必要はなく、通常のコンピュータにより実現することができる。例えば、コンピュータに上記した各処理を実行させるためのプログラム及びデータを記録媒体（ＦＤ、ＣＤ−ＲＯＭ、ＤＶＤ等）に記録して配布し、これをインストールしてＯＳ上で実行することにより、この発明の装置を実現できる。また、上記プログラム及びデータは、インターネット上のサーバ装置が有するディスク装置等に格納しておき、コンピュータに、例えば搬送波に重畳してダウンロード等するものとしてもよい。
【０１２０】
【発明の効果】
以上の説明から明らかなように、本発明によって、情報のタイトルを容易に判別することができる。
【図面の簡単な説明】
【図１】本発明の実施の形態にかかるミニディスクレコーダの構成図である。
【図２】ＭＤが有する情報記録面の構成図である。
【図３】図１のミニディスクレコーダを構成するコントローラが行うタイトルコピー処理を示すフローチャートである。
【図４】図３のタイトルコピー処理によって作成されるタイトルの例を示す図である。
【図５】図１のミニディスクレコーダを構成するタイトル処理部が行うタイトルインプット処理を示すフローチャートである。
【図６】図１のミニディスクレコーダを構成するタイトル処理部が行うタイトル修正処理を示すフローチャートである。
【図７】図１のミニディスクレコーダを構成するコントローラが行うタイトルコピー処理の他の例を示すフローチャートである。
【図８】図１のミニディスクレコーダを構成するコントローラが行うタイトルコピー処理の他の例を示すフローチャートである。
【図９】図１のミニディスクレコーダを構成するタイトル処理部が行うタイトルインプット処理の他の例を示すフローチャートである。
【図１０】図１のミニディスクレコーダを構成するタイトル処理部が行うタイトルインプット処理の他の例を示すフローチャートである。
【符号の説明】
１    記録装置
２    タイトル入力装置
１０  ＭＤ
１１  コントローラ
１２  記録再生部
１３  ＵＴＯＣ（User Table Of Contents）メモリ
１４  タイトルメモリ
１５  操作部
１６  表示部
２１  タイトル処理部
２２  入力部
２３  タイトルメモリ
２４  表示部
【図１】
0003875861.tif 000002
【図２】
0003875861.tif 000003
【図３】
0003875861.tif 000004
【図４】
0003875861.tif 000005
【図５】
0003875861.tif 000006
【図６】
0003875861.tif 000007
【図７】
0003875861.tif 000008
【図８】
0003875861.tif 000009
【図９】
0003875861.tif 000010
【図１０】
0003875861.tif 000011